(57)【要約】  本発明の電子価格表示器は、ベース基板と、前記ベース基板の上に形成され、サーバーから商品関連情報を受信する第１アンテナが実装される第１実装部と、前記ベース基板の上に形成され、前記第１アンテナと連結される第１通信モジュールが実装される第２実装部と、前記ベース基板の上に形成され、管理端末機から管理信号を受信する第２アンテナが実装される第３実装部と、前記ベース基板の上に形成され、前記第２アンテナと連結される第２通信モジュールが選択的に実装される第４実装部と、前記ベース基板の上に形成され、選択的に前記第２アンテナ及び前記第２通信モジュールのいずれか一つと直接連結され、前記管理信号に応じたインターラプトを前記第１通信モジュールに伝送するＬＦ(Low Frequency)回路が実装される第５実装部と、を含む。【選択図】図５
2018504250.tif 000002
【特許請求の範囲】
【請求項１】
ベース基板と、
前記ベース基板の上に形成され、サーバーから商品関連情報を受信する第１アンテナが実装される第１実装部と、
前記ベース基板の上に形成され、前記第１アンテナと連結される第１通信モジュールが実装される第２実装部と、
前記ベース基板の上に形成され、管理端末機から管理信号を受信する第２アンテナが実装される第３実装部と、
前記ベース基板の上に形成され、前記第２アンテナと連結される第２通信モジュールが選択的に実装される第４実装部と、
前記ベース基板の上に形成され、選択的に前記第２アンテナ及び前記第２通信モジュールのいずれか一つと直接連結され、前記管理信号に応じたインターラプトを前記第１通信モジュールに伝送するＬＦ(Low Frequency)回路が実装される第５実装部と、を含む電子価格表示器。
【請求項２】
前記第４実装部は、前記ベース基板の上面の外枠領域に配置され、
前記第１実装部は、前記外枠領域の内部領域のうち前記第４実装部と一定間隔離隔した領域に配置される、請求項１に記載の電子価格表示器。
【請求項３】
前記第２アンテナは、近距離通信の周波数帯域と、ＬＦ通信の周波数帯域をいずれも満足する信号を受信する、請求項１に記載の電子価格表示器。
【請求項４】
前記第４実装部には、前記電子価格表示器のタイプに応じて前記第２通信モジュールが選択的に実装され、
前記第５実装部に実装されるＬＦ回路は、
前記第４実装部に前記第２通信モジュールが実装されることで、前記第２通信モジュールから前記管理信号を受信し、
前記第４実装部に前記第２通信モジュールが実装されないことで、前記第２アンテナから前記管理信号を受信する、請求項１に記載の電子価格表示器。
【請求項５】
前記第３実装部と前記第５実装部との間を連結し、前記第２アンテナを介して受信された管理信号の経路を決定する選択素子が実装される第６実装部をさらに含む、請求項４に記載の電子価格表示器。
【請求項６】
前記選択素子は、前記第４実装部に前記第２通信モジュールが実装されるのか否かによって、選択的に前記第６実装部に実装される、請求項５に記載の電子価格表示器。
【請求項７】
前記電子価格表示器が第１タイプである場合、前記第４実装部には前記第２通信モジュールが実装され、前記第６実装部は空の空間に形成され、
前記電子価格表示器が第２タイプである場合、前記第４実装部は空の空間に形成され、前記第６実装部には前記選択素子が実装される、請求項６に記載の電子価格表示器。
【請求項８】
前記第５実装部は、
前記管理信号を平滑化する平滑回路が実装される平滑回路実装部と、
前記平滑化された管理信号を利用して、前記第１通信モジュールにインターラプトを出力するインバータ回路が実装されるインバータ回路実装部を含む、請求項７に記載の電子価格表示器。
【請求項９】
前記電子価格表示器が第１タイプである場合、前記平滑回路実装部は空の空間に形成され、前記インバータ回路実装部はインバータ回路が実装され、
前記電子価格表示器が第２タイプである場合、前記平滑回路実装部及びインバータ回路実装部にそれぞれ平滑回路及びインバータ回路が実装される、請求項８に記載の電子価格表示器。
【請求項１０】
前記ベース基板の上に形成され、前記受信された商品関連情報を表示する表示装置との連結のためのコネクタが実装されるコネクタ実装領域をさらに含む、請求項１に記載の電子価格表示器。
【請求項１１】
サーバーとの通信のための第１アンテナと、
前記第１アンテナと連結され、前記サーバーとの通信を介して商品関連情報を受信する第１通信モジュールと、
前記第１通信モジュールを介して受信された商品関連情報を表示する表示部と、
管理者端末機と通信を介して管理信号を受信する第２アンテナと、
前記第２アンテナと連結され、前記第２アンテナを介して受信された管理信号に基づいて、前記第１通信モジュールの動作制御のためのインターラプトを発生するＬＦ(Low Frequency)回路部と、を含む電子価格表示器。
【請求項１２】
前記第２アンテナは、近距離通信の周波数帯域と、ＬＦ通信の周波数帯域をいずれも満足する信号を受信する、請求項１１に記載の電子価格表示器。
【請求項１３】
前記管理信号は、ＮＦＣプロトコルに応じた周波数形態の波形であり、
前記ＬＦ回路部は、前記波形を受信し、これを平滑化する平滑回路と、
前記平滑化された波形を利用して、ローアクティブ波形のインターラプトを発生させるインバータ回路とを含む、請求項１１に記載の電子価格表示器。
【請求項１４】
前記波形は、信号が存在する第１区間と、空の空間の第２区間とを含み、
前記平滑回路は、前記第１区間と第２区間の信号がいずれもハイと認識されるように前記波形を平滑化し、
前記インバータ回路は、前記第２アンテナを介して受信される波形の長さに対応するハイ信号のインターラプトを発生し、
前記第１通信モジュールは、前記インバータ回路を介して発生するインターラプトの長さを基準に動作モードを決定する、請求項１３に記載の電子価格表示器。
【請求項１５】
前記波形は、信号が存在する第１区間と、空の空間の第２区間とを含み、
前記平滑回路は、前記第１区間はハイと認識されるようにし、前記第２区間はローと認識されるように前記波形を平滑化し、
前記インバータ回路は、前記平滑化された波形に基づいてハイ信号とロー信号が混合したインターラプトを発生し、
前記第１通信モジュールは、前記インバータ回路を介して発生するインターラプト内で、ハイ信号の個数に基づいて動作モードを決定する、請求項１３に記載の電子価格表示器。
【請求項１６】
前記動作モードは、ウェイクアップモード、リセットモード、動作維持モード及びディープスリープモードのうち少なくとも一つを含み、
前記波形は、前記動作モードによって異なる長さを有する、請求項１４または１５に記載の電子価格表示器。
【請求項１７】
前記ＬＦ回路部と前記第２アンテナとの間に配置され、前記第２アンテナを介して受信された管理信号の経路を決定する選択素子がさらに含まれる、請求項１１に記載の電子価格表示器。
【請求項１８】
サーバーとの通信のための第１アンテナと、
前記第１アンテナと連結され、前記サーバーとの通信を介して商品関連情報を受信する第１通信モジュールと、
前記第１通信モジュールを介して受信された商品関連情報を表示する表示部と、
管理者端末機と通信を行う第２アンテナと、
前記第２アンテナと連結され、前記管理者端末機との通信を介して管理信号及び付加情報データのうち少なくとも一つを受信する第２通信モジュールと、
前記第２通信モジュールと連結され、前記第２通信モジュールを介して伝達される管理信号に基づいて、前記第１通信モジュールの動作制御のためのインターラプトを発生するＬＦ(Low Frequency)回路部と、を含む電子価格表示器。
【請求項１９】
前記第２アンテナは、近距離通信の周波数帯域と、ＬＦ通信の周波数帯域をいずれも満足する信号を受信する、請求項１８に記載の電子価格表示器。
【請求項２０】
前記管理信号は、ＮＦＣプロトコルに応じた周波数形態の波形であり、
前記第２通信モジュールは、前記管理信号に対応する波形が受信されると、前記受信された波形を平滑化して出力し、
前記ＬＦ回路部は、前記第２通信モジュールを介して平滑化された波形を利用して、ローアクティブ波形のインターラプトを発生させるインバータ回路を含む、請求項１８に記載の電子価格表示器。
【請求項２１】
前記波形は、信号が存在する第１区間と、空の空間の第２区間とを含み、
前記第２通信モジュールは、前記第１区間と第２区間の信号がいずれもハイと認識されるように前記波形を平滑化し、
前記ＬＦ回路部は、前記第２アンテナを介して受信される波形の長さに対応するハイ信号のインターラプトを発生し、
前記第１通信モジュールは、前記インバータ回路を介して発生するインターラプトの長さを基準に動作モードを決定する、請求項２０に記載の電子価格表示器。
【請求項２２】
前記波形は、信号が存在する第１区間と、空の空間の第２区間とを含み、
前記第２通信モジュールは、前記第１区間はハイと認識されるようにし、前記第２区間はローと認識されるように前記波形を平滑化し、
前記ＬＦ回路部は、前記平滑化された波形に基づいてハイ信号とロー信号が混合したインターラプトを発生し、
前記第１通信モジュールは、前記インバータ回路を介して発生するインターラプト内で、ハイ信号の個数に基づいて動作モードを決定する、請求項２０に記載の電子価格表示器。
【請求項２３】
前記動作モードは、ウェイクアップモード、リセットモード、動作維持モード及びディープスリープモードのうち少なくとも一つを含み、
前記波形は、前記動作モードによって異なる長さを有する、請求項２１または２２に記載の電子価格表示器。
【請求項２４】
バッテリーと前記第２通信モジュールとの間に配置され、前記第２通信モジュールに供給される電源を選択的に遮断する漏洩電流遮断部がさらに含まれる、請求項１８に記載の電子価格表示器。
【発明の詳細な説明】
【技術分野】
【０００１】
本発明は、電子価格表示器に関し、特に、本体に装着されるスイッチを除去し、かつ、近距離無線通信機能が適用された装置と前記近距離無線通信機能が適用されていない装置の回路を共用化できる電子価格表示器に関する。
【背景技術】
【０００２】
一般的に、流通売り場では、棚に陳列されている商品に対する販売価格や割引情報、単価、原産地等のような商品情報を表示する紙ラベルが用いられている。このような紙ラベルを利用した価格表示方式は、商品情報が変更されたり商品陳列位置が変更される場合に、使用していた紙ラベルを廃棄し新たな紙ラベルを作成しなければならないので、メンテナンスに持続的な費用が発生するだけでなく、環境的な側面においても紙という原材料を浪費することになり、環境保護に否定的な影響を及ぼすことになる。
【０００３】
そこで、既存の紙ラベルを代替するための手段として、電子価格表示器(または、電子棚札(Electronic Shelf Label：ESL))に対する研究及び開発が積極的に行われている。
【０００４】
電子価格表示器は、中央管制センター(サーバー)から該当商品の価格関連情報を無線装置(例えば、ゲートウェイ)を介して受信し、前記受信した価格関連情報をディスプレイしてリアルタイムで該当商品に対する情報を提供する。
【０００５】
このとき、前記電子価格表示器は、該当商品に対する頻繁な情報変更や割引情報等をリアルタイムでディスプレイして使用者の便利性を提供する。
【０００６】
最近では、電子価格表示器が価格情報だけでなく、ストアシンボル(Store Symbol)、プロモーションイメージ(Promotion Image)、バーコード(Barcode)、商品名(Product Name)、商品イメージ(Product Image)、原産地情報等の多様な情報を表示することが要求されている。
【０００７】
前記電子価格表示システムは、サーバー、ゲートウェイ及び多数の電子価格表示器から構成される。
【０００８】
このとき、ゲートウェイとサーバーは有線システムで連結され、ゲートウェイと前記多数の電子価格表示器は無線で連結され、前記電子価格表示器の種類によって、前記ゲートウェイと電子価格表示器は単方向通信または双方向通信を行う。
【０００９】
一方、電子価格表示器は、バッテリータイプとして、電子紙ディスプレイ等によって非常に低い電力にて構成され、印紙によって１〜５年ほどの寿命を有する。
【００１０】
前記電子価格表示器は、担当ゲートウェイを介して価格情報等を無線で伝送された後、前記バッテリーの寿命のためにディープスリープ状態(deep sleep)の超低電力モードに進入する。
【００１１】
このとき、前記電子価格表示器は、一定周期(例えば、５〜３０分周期)でウェイクアップされて、前記担当ゲートウェイを介して新しい価格情報が存在するのか否かを確認し、新しい価格情報が存在する場合には価格変動事項を確認して反映する。
【００１２】
一方、電子価格表示器は、一定周期にてのウェイクアップ(wake up)以外に、商品販売台を管理する管理者によって追加価格情報の反映、登録及び初期化等を行えるようになっている。
【００１３】
図１は、従来技術による電子価格表示器の構造を示す図である。
【００１４】
図１に示すように、電子価格表示器は、外観を構成する本体１０と、価格情報等の商品情報を表示する表示部２０と、前記本体１０の側面に突出形成されるスイッチボタン３０を含む。
【００１５】
上記のように、電子価格表示器には外部に露出しているスイッチボタン３０が形成されており、管理者は前記スイッチボタン３０を利用して前記電子価格表示器を管理する。
【００１６】
ここで、前記電子価格表示器の管理は、電子価格表示器のウェイクアップ、動作維持、初期化のためのリセット、及び初期画面ディスプレイ、そして超低電力モードへの進入のためのディープスリープ状態等を含む。
【００１７】
管理者は、所望の管理モードに応じて、該当時間の間前記スイッチボタン３０を押して前記電子価格表示器に該当イベント信号を発生する。
【００１８】
前記発生されるイベント信号を次のようにすることができる。
【００１９】
前記スイッチボタンが１.５秒以下押されると、前記発生されるイベント信号をウェイクアップ後、動作維持をするようにする信号とすることができる。
【００２０】
また、前記スイッチボタンが１.５秒〜７秒の範囲内の時間の間押されると、前記発生されるイベント信号を初期画面をディスプレイするようにする信号とすることができる。
【００２１】
また、前記スイッチボタンが７秒以上の時間の間押されると、前記発生されるイベント信号をディープスリープ状態に進入するようにする信号とすることができる。
【００２２】
上記のように、既存の電子価格表示器は、ウェイクアップ、初期化及び登録等のための管理者のシナリオを適用するために、本体外部にスイッチボタンが必ず必要である。
【００２３】
しかし、上記のような外部のスイッチボタンは、小型サイズに構成される電子価格表示器の価格上昇や、組立性及び内部回路構成の損失等の問題を有している。
【００２４】
特に、上記のような電子価格表示器は、マートやデパートの商品陳列台に設置されるが、顧客の好奇心によって前記スイッチボタンの頻繁なタッチが発生し、これによって、電子価格表示器の誤動作やバッテリーの過剰消耗等の問題が持続的に発生する。
【００２５】
一方、上記のような電子価格表示器は、近距離通信機能が内蔵された第１タイプと、近距離通信機能が内蔵されていない第２タイプに区分される。
【００２６】
これによって、電子価格表示器の製造業者は、前記第１タイプの回路基板と、第２タイプの回路基板をそれぞれ製作し、顧客が所望するタイプに応じた回路基板を利用して電子価格表示器を製造していた。
【００２７】
しかし、上記のように電子価格表示器がタイプに応じて異なる形態に設計製作され、これは電子価格表示器の生産性を低下させる要因となる。
【発明の概要】
【発明が解決しようとする課題】
【００２８】
本発明は、顧客の頻繁なタッチによって多くの問題を起こす外部スイッチボタンを除去した電子価格表示器を提供する。
【００２９】
また本発明は、ＬＦ(Low Frequency)回路を適用して、既存の外部スイッチが提供する機能の他に、多様な管理者モードシナリオの実現を可能とした電子価格表示器を提供する。
【００３０】
また本発明は、近距離通信機能が内蔵されたタイプの回路基板と、近距離通信機能が内蔵されていないタイプの回路基板を共用化できる電子価格表示器を提供する。
【００３１】
本発明が達成しようとする技術的課題は、以上で言及された技術的課題に制限されず、以上で言及されていない他の技術的課題は、以下の記載で提案される本発明が属する技術分野で通常の知識を有した者には明確に理解されるはずである。
【課題を解決するための手段】
【００３２】
本発明の電子価格表示器は、ベース基板と、前記ベース基板の上に形成され、サーバーから商品関連情報を受信する第１アンテナが実装される第１実装部と、前記ベース基板の上に形成され、前記第１アンテナと連結される第１通信モジュールが実装される第２実装部と、前記ベース基板の上に形成され、管理端末機から管理信号を受信する第２アンテナが実装される第３実装部と、前記ベース基板の上に形成され、前記第２アンテナと連結される第２通信モジュールが選択的に実装される第４実装部と、前記ベース基板の上に形成され、選択的に前記第２アンテナ及び前記第２通信モジュールのいずれか一つと直接連結され、前記管理信号に応じたインターラプトを前記第１通信モジュールに伝送するＬＦ(Low Frequency)回路が実装される第５実装部と、を含む。
【００３３】
また、前記第４実装部は、前記ベース基板の上面の外枠領域に配置され、前記第１実装部は、前記外枠領域の内部領域のうち前記第４実装部と一定間隔離隔した領域に配置される。
【００３４】
また、前記第２アンテナは、近距離通信の周波数帯域と、ＬＦ通信の周波数帯域をいずれも満足する信号を受信する。
【００３５】
また、前記第４実装部には、前記電子価格表示器のタイプに応じて前記第２通信モジュールが選択的に実装され、前記第５実装部に実装されるＬＦ回路は、前記第４実装部に前記第２通信モジュールが実装されることで、前記第２通信モジュールから前記管理信号を受信し、前記第４実装部に前記第２通信モジュールが実装されないことで、前記第２アンテナから前記管理信号を受信する。
【００３６】
また、前記第３実装部と前記第５実装部との間を連結し、前記第２アンテナを介して受信された管理信号の経路を決定する選択素子が実装される第６実装部をさらに含む。
【００３７】
また、前記選択素子は、前記第４実装部に前記第２通信モジュールが実装されるのか否かによって、選択的に前記第６実装部に実装される。
【００３８】
また、前記電子価格表示器が第１タイプである場合、前記第４実装部には前記第２通信モジュールが実装され、前記第６実装部は空の空間に形成され、前記電子価格表示器が第２タイプである場合、前記第４実装部は空の空間に形成され、前記第６実装部には前記選択素子が実装される。
【００３９】
また、前記第５実装部は、前記管理信号を平滑化する平滑回路が実装される平滑回路実装部と、前記平滑化された管理信号を利用して、前記第１通信モジュールにインターラプトを出力するインバータ回路が実装されるインバータ回路実装部とを含む。
【００４０】
また、前記電子価格表示器が第１タイプである場合、前記平滑回路実装部は空の空間に形成され、前記インバータ回路実装部はインバータ回路が実装され、前記電子価格表示器が第２タイプである場合、前記平滑回路実装部及びインバータ回路実装部にそれぞれ平滑回路及びインバータ回路が実装される。
【００４１】
また、前記ベース基板の上に形成され、前記受信された商品関連情報を表示する表示装置との連結のためのコネクタが実装されるコネクタ実装領域をさらに含む。
【００４２】
また、本発明の電子価格表示器は、サーバーとの通信のための第１アンテナと、前記第１アンテナと連結され、前記サーバーとの通信を介して商品関連情報を受信する第１通信モジュールと、前記第１通信モジュールを介して受信された商品関連情報を表示する表示部と、管理者端末機と通信を介して管理信号を受信する第２アンテナと、前記第２アンテナと連結され、前記第２アンテナを介して受信された管理信号に基づいて、前記第１通信モジュールの動作制御のためのインターラプトを発生するＬＦ(Low Frequency)回路部と、を含む。
【００４３】
また、前記第２アンテナは、近距離通信の周波数帯域と、ＬＦ通信の周波数帯域をいずれも満足する信号を受信する。
【００４４】
また、前記管理信号は、ＮＦＣプロトコルに応じた周波数形態の波形であり、前記ＬＦ回路部は、前記波形を受信し、これを平滑化する平滑回路と、前記平滑化された波形を利用して、ローアクティブ波形のインターラプトを発生させるインバータ回路とを含む。
【００４５】
また、前記波形は、信号が存在する第１区間と、空の空間の第２区間とを含み、前記平滑回路は、前記第１区間と第２区間の信号がいずれもハイと認識されるように前記波形を平滑化し、前記インバータ回路は、前記第２アンテナを介して受信される波形の長さに対応するハイ信号のインターラプトを発生し、前記第１通信モジュールは、前記インバータ回路を介して発生するインターラプトの長さを基準に動作モードを決定する。
【００４６】
また、前記波形は、信号が存在する第１区間と、空の空間の第２区間とを含み、前記平滑回路は、前記第１区間はハイと認識されるようにし、前記第２区間はローと認識されるように前記波形を平滑化し、前記インバータ回路は、前記平滑化された波形に基づいてハイ信号とロー信号が混合したインターラプトを発生し、前記第１通信モジュールは、前記インバータ回路を介して発生するインターラプト内で、ハイ信号の個数に基づいて動作モードを決定する。
【００４７】
また、前記動作モードは、ウェイクアップモード、リセットモード、動作維持モード及びディープスリープモードのうち少なくとも一つを含み、前記波形は、前記動作モードによって異なる長さを有する。
【００４８】
また、前記ＬＦ回路部と前記第２アンテナとの間に配置され、前記第２アンテナを介して受信された管理信号の経路を決定する選択素子がさらに含まれる。
【００４９】
また、本発明の電子価格表示器は、サーバーとの通信のための第１アンテナと、前記第１アンテナと連結され、前記サーバーとの通信を介して商品関連情報を受信する第１通信モジュールと、前記第１通信モジュールを介して受信された商品関連情報を表示する表示部と、管理者端末機と通信を行う第２アンテナと、前記第２アンテナと連結され、前記管理者端末機との通信を介して管理信号及び付加情報データのうち少なくとも一つを受信する第２通信モジュールと、前記第２通信モジュールと連結され、前記第２通信モジュールを介して伝達される管理信号に基づいて、前記第１通信モジュールの動作制御のためのインターラプトを発生するＬＦ(Low Frequency)回路部と、を含む。
【００５０】
また、前記第２アンテナは、近距離通信の周波数帯域と、ＬＦ通信の周波数帯域をいずれも満足する信号を受信する。
【００５１】
また、前記管理信号は、ＮＦＣプロトコルに応じた周波数形態の波形であり、前記第２通信モジュールは、前記管理信号に対応する波形が受信されると、前記受信された波形を平滑化して出力し、前記ＬＦ回路部は、前記第２通信モジュールを介して平滑化された波形を利用して、ローアクティブ波形のインターラプトを発生させるインバータ回路とを含む。
【００５２】
また、前記波形は、信号が存在する第１区間と、空の空間の第２区間とを含み、前記第２通信モジュールは、前記第１区間と第２区間の信号がいずれもハイと認識されるように前記波形を平滑化し、前記ＬＦ回路部は、前記第２アンテナを介して受信される波形の長さに対応するハイ信号のインターラプトを発生し、前記第１通信モジュールは、前記インバータ回路を介して発生するインターラプトの長さを基準に動作モードを決定する。
【００５３】
また、前記波形は、信号が存在する第１区間と、空の空間の第２区間とを含み、前記第２通信モジュールは、前記第１区間はハイと認識されるようにし、前記第２区間はローと認識されるように前記波形を平滑化し、前記ＬＦ回路部は、前記平滑化された波形に基づいてハイ信号とロー信号が混合したインターラプトを発生し、前記第１通信モジュールは、前記インバータ回路を介して発生するインターラプト内で、ハイ信号の個数に基づいて動作モードを決定する。
【００５４】
また、前記動作モードは、ウェイクアップモード、リセットモード、動作維持モード及びディープスリープモードのうち少なくとも一つを含み、前記波形は、前記動作モードによって異なる長さを有する。
【００５５】
また、バッテリーと前記第２通信モジュールとの間に配置され、前記第２通信モジュールに供給される電源を選択的に遮断する漏洩電流遮断部がさらに含まれる。
【発明の効果】
【００５６】
本発明によれば、問題の原因となる外部スイッチ回路を除去して、電子価格表示器の全体的な価格を削減でき、かつ製品の外観性を向上させることができる。
【００５７】
また、本発明によれば、ＬＦ(Low Frequency)回路をＮＦＣ(Near Field Communication)において主に使用する１３.５６MHz帯域の周波数を利用することで、前記ＮＦＣのループアンテナを共通で使用して回路の共用化及び小型化を達成することができる。
【００５８】
また、本発明による近距離通信機能が備えられるタイプの基板と、近距離通信機能が備えられないタイプの基板を共用化することで、製品の生産性を向上させることができる。
【図面の簡単な説明】
【００５９】
【図１】従来技術による電子価格表示器の構造を示す図である。
【図２】本発明の実施例に係る電子価格表示システムの概略的な構成図である。
【図３】本発明の第１実施例に係る電子価格表示器の構成図である。
【図４】本発明の第２実施例に係る電子価格表示器の構成図である。
【図５】本発明の実施例に係る共用化された回路基板を示す図である。
【図６】本発明の第１実施例に係るＬＦ回路部３６０の回路図である。
【図７】本発明の第２実施例に係るＬＦ回路部３６０の回路図である。
【図８】本発明の実施例に係る第１タイプの電子価格表示器３００の回路図である。
【図９】本発明の実施例に係る第２タイプの電子価格表示器３００の回路図である。
【図１０】本発明の実施例で、前記管理モードに進入するために提供されるユーザーインターフェースを示す図である。
【図１１】本発明の実施例で、電子価格表示器３００に入力される波形を説明するための図である。
【図１２】本発明の実施例で、電子価格表示器３００に入力される波形を説明するための図である。
【図１３】本発明の実施例で、電子価格表示器３００に入力される波形を説明するための図である。
【図１４】本発明の第１実施例に係るインターラプトを説明するための図である。
【図１５】本発明の第１実施例に係るインターラプトを説明するための図である。
【図１６】本発明の第１実施例に係るインターラプトを説明するための図である。
【図１７】本発明の第２実施例に係るインターラプトを説明するための図である。
【図１８】本発明の第２実施例に係るインターラプトを説明するための図である。
【発明を実施するための形態】
【００６０】
本発明の利点及び特徴、そしてこれらを達成する方法は、添付される図面と一緒に詳しく後述されている実施例を参照すれば明確になるだろう。なお、本発明は、以下に開示される実施例に限定されるものではなく、他の多様な形態で具現することができる。本実施例は、単に本発明の開示が完全となるようにし、本発明が属する技術分野で通常の知識を有した者に発明の範疇を完全に伝えるために提供するものであり、本発明は請求項の範疇によって定義されるだけである。また、本明細書の全体にわたり、同一参照符号は同一構成要素を指 す。
【００６１】
本発明の実施例に説明において、公知機能または構成に対する具体的な説明が、本発明の要旨を不必要に乱してしまう虞があると判断される場合には、その詳細な説明を省略することにする。そして、後述される用語は、本発明の実施例における機能を考慮して定義された用語として、これは使用者、運用者の意図または慣例等によって可変である。よって、その定義は、本明細書の全般的な内容に基づいて定義されるべきである。
【００６２】
添付された図面の各ブロックとフローチャートの各ステップの組合せは、コンピュータプログラムインストラクションによって実行することもできる。これらのコンピュータプログラムインストラクションは、汎用コンピュータ、特殊用コンピュータまたはその他プログラム可能なデータプロセシング装備のプロセッサに搭載できるので、コンピュータまたはその他プログラム可能なデータプロセシング装備のプロセッサを介して実行されるそのインストラクションが、図面の各ブロックまたはフローチャートの各ステップで説明された機能を実行する手段を生成することになる。これらコンピュータプログラムインストラクションは、特定方式で機能を具現するために、コンピュータまたはその他プログラム可能なデータプロセシング装備を指向できるコンピュータが利用可能なまたはコンピュータが読込み可能なメモリーに記録することも可能であるので、そのコンピュータが利用可能なまたはコンピュータが読込み可能なメモリーに記録されたインストラクションは、図面の各ブロックまたはフローチャートの各ステップで説明された機能を実行するインストラクション手段を内包する製造品目を生産することも可能である。コンピュータプログラムインストラクションは、コンピュータまたはその他プログラム可能なデータプロセシング装備上に搭載することも可能であるので、コンピュータまたはその他プログラム可能なデータプロセシング装備上で一連の動作ステップが実行されてコンピュータで実行されるプロセスを生成し、コンピュータまたはその他プログラム可能なデータプロセシング装備を実行するインストラクションは、図面の各ブロック及びフローチャートの各ステップで説明された機能を実行するためのステップを提供することも可能である。
【００６３】
また、各ブロックまたは各ステップは、特定の論理的機能を実行するための一つ以上の実行可能なインストラクションを含むモジュール、セグメントまたはコードの一部を現わすことができる。また、いくつかの代替実施例では、ブロックまたはステップで言及された機能が、ランダムな順で発生することも可能であることを注目しなければならない。例えば、連続図示されている二つのブロックまたはステップは、実質的に同時に行われることも可能であり、またはそのブロックまたはステップが時々該当する機能に応じて逆順に行われることも可能である。
【００６４】
図２は、本発明の実施例に係る電子価格表示システムの概略的な構成図である。
【００６５】
図２に示すように、価格表示システムは、サーバー１００、ゲートウェイ２００及び電子価格表示器３００を含む。
【００６６】
サーバー１００は、流通売り場等のような場所に陳列される商品に対する商品情報を記録及び管理するデータベースサーバーからなることができる。
【００６７】
サーバー１００は、商品情報を記録するだけでなく、流通売り場の運用に要求される多様な情報を記録することができる。
【００６８】
また、サーバー１００は、前記電子価格表示器３００に表示される商品情報の同期化、更新及び変更等のような多様な機能を実行するための命令メッセージを作成して管理することができる。
【００６９】
このために、サーバー１００は、前記電子価格表示器３００と、それに表示される商品情報に対するデータベースを備えることができる。
【００７０】
即ち、サーバー１００は、前記電子価格表示器３００に対する識別情報と、前記電子価格表示器３００に表示される商品情報を連動して記録したデータベースを備えることができる。
【００７１】
即ち、前記電子価格表示器３００は、多数の商品に対する情報をそれぞれ表示するために多数備えられる。このとき、前記多数の電子価格表示器３００のそれぞれは、他の電子価格表示器３００との区分のための識別情報を有している。
【００７２】
そのために、電子価格表示器３００は、前記多数の電子価格表示器３００それぞれの識別情報、そして前記それぞれの電子価格表示器３００に表示される商品情報を連動して記録したデータベースを備えることができる。
【００７３】
ゲートウェイ２００は、前記サーバー１００と通信を行い、それによって前記サーバー１００から伝送される商品情報を該当電子価格表示器３００に伝送する。
【００７４】
このために、前記ゲートウェイ２００は、複数個から構成されることが好ましい。
【００７５】
このとき、前記サーバー１００とゲートウェイ２００との間にはネットワークインターフェースが構成される。
【００７６】
ネットワークインターフェースは、前記サーバー１００から発生する命令メッセージ(例えば、商品情報に対する更新メッセージ、商品情報変更メッセージ及び管理情報取得メッセージ等)がリアルタイムで前記ゲートウェイ２００に伝送されるように、前記サーバー１００とゲートウェイ２００との間の通信チャネルを形成する機能をすることができる。即ち、例えば、前記ネットワークインターフェースは、前記サーバー１００から発生するメッセージを前記ゲートウェイ２００との通信に使用する事前設定された通信方式に適切なパケットに構成し、これを送信する機能をすることができる。また、ネットワークインターフェースは、ゲートウェイ２００から伝達される受信確認メッセージを事前設定された通信方式で受信し、これをサーバー１００が受信可能なメッセージに変換して伝達することで、これに伴う後続動作を実行可能にすることができる。
【００７７】
ゲートウェイ２００は、前記サーバー１００から受信されたデータを分析して自身と通信する電子価格表示器３００に伝達するメッセージまたはデータが存在するのかを確認し、前記伝達するメッセージまたはデータが存在すると確認されると、前記確認されたメッセージやデータを該当電子価格表示器３００に伝達する役割をする。
【００７８】
前記ゲートウェイ２００は、前記電子価格表示器３００に伝達するメッセージを事前設定された通信方式に応じたパケットに構成し、前記構成したパケットを該当電子価格表示器３００に伝送することができる。
【００７９】
また、ゲートウェイ２００は、電子価格表示器３００から伝送される受信確認メッセージを受信し、前記受信した受信確認メッセージを前記サーバー１００に伝達することができる。
【００８０】
前記ゲートウェイ２００と電子価格表示器３００は、一つのゲートウェイで多数の電子価格表示器３００と通信が可能となるように、Zigbee(即ち、IEEE ８０２.１５.４)方式の無線通信方式を適用することができる。また、ゲートウェイ２００と電子価格表示器３００は、高速データ送受信のためにWi-Fi(即ち、IEEE ８０２.１１)、ブルートゥース（登録商標）(即ち、IEEE ８０２.１５.１)方式の無線通信方式を適用することもできる。
【００８１】
電子価格表示器３００は、前記ゲートウェイ２００から伝送された商品情報に対するデータを受信し、前記受信したデータをディスプレイに表示する。
【００８２】
また、電子価格表示器３００は、前記ゲートウェイ２００から伝送された商品情報に対するデータの受信による動作結果を前記ゲートウェイ２００に伝送する。
【００８３】
このとき、複数の電子価格表示器３００は一つのゲートウェイ２００と通信することができる。前述したように、一つのゲートウェイ２００と複数の電子価格表示器３００の通信が可能となるようにZigbee方式の無線通信方式が適用され、これをより効率的に具現するために、ゲートウェイ２００と電子価格表示器３００との間の通信において、データの種類に応じた複数の通信チャネルに分離した通信運用がなされる。
【００８４】
複数の電子価格表示器３００のそれぞれは、前記サーバー１００からウェイクアップ信号を受信せず、別途の外部装置から伝送されるウェイクアップ信号を受信する。このとき、前記別途の外部装置は、例えば管理者が所有した端末機である。
【００８５】
前記端末機としては、携帯電話、スマートフォン(smart phone)、ノートブックコンピュータ(laptop computer)、デジタル放送用端末機、PDA(Personal Digital Assistants)、PMP(Portable Multimedia Player)、ナビゲーション等を含むことができる。
【００８６】
即ち、電子価格表示器３００は、外部から常時電源供給が難しい環境に配置される。よって、前記電子価格表示器３００は、内部に構成されたバッテリーから供給される電源によって動作する。
【００８７】
そのために、前記電子価格表示器３００は、一度のバッテリー交換で数年以上の長時間使用のために、電力消耗を最小化することが重要である。
【００８８】
このために、前記電子価格表示器３００は、ウェイクアップ方式を用いて運用される。
【００８９】
一般的な電子価格表示器３００は、事前設定された時間を周期にウェイクアップし、自身が受信するデータがあるのかを確認していた。しかし、実施例での電子価格表示器３００は、外部インターラプト(interrupt)によってウェイクアップして自身が受信するデータがあるのかを確認する。このとき、前記外部インターラプトは、前記電子価格表示器３００の本体外部に構成されたスイッチボタンではなく、前記別途の端末機から供給される信号によって発生する。これに対しては、下記でより詳細に説明することにする。
【００９０】
一方、前記電子価格表示器３００は、前記ウェイクアップにより自身が受信するデータが存在するのかを確認し、前記受信するデータがないと確認される場合、ディープスリープモードで動作し、次の外部インターラプトが発生する時まで電力消耗を最小化する。
【００９１】
即ち、電子価格表示器３００は、前記受信するデータが存在すると確認される場合のみ所定の機能部に電力を供給し、データ受信及び処理が行われるようにすることができる。
【００９２】
ここで、スリープモードは、前記受信するデータの存在の有無を確認するのに必要な電子価格表示器３００の一部構成要素にのみ必要電力を供給する状態を意味する。また、正常モードは、前記電子価格表示器３００の構成要素を動作させるのに十分な電力を供給する状態を意味する。
【００９３】
一方、電子価格表示器３００は、第１タイプと第２タイプに区分され、前記区分される第１タイプ及び第２タイプに応じて、内部の詳細構成ブロックが変わる。
【００９４】
しかし、第１タイプの電子価格表示器３００と第２タイプの電子価格表示器３００の詳細構成回路が実装される基板は共用で使用される。
【００９５】
ここで、前記第１タイプと第２タイプの区分は、顧客の要請によって決定することができる。即ち、顧客は、電子価格表示器３００の用途に応じて、近距離無線通信(NFC：Near Field Communication)機能が内蔵された電子価格表示器３００を求めたり、逆に前記近距離無線通信(NFC：Near Field Communication)機能が内蔵されていない電子価格表示器３００を求めたりもする。
【００９６】
これによって、電子価格表示器３００の製造業者は、近距離無線通信(NFC：Near Field Communication)機能が内蔵された第１タイプの電子価格表示器３００と、前記近距離無線通信(NFC：Near Field Communication)機能が内蔵されていない第２タイプの電子価格表示器３００をそれぞれ別途製造していた。
【００９７】
しかし、実施例では、前記近距離無線通信(NFC：Near Field Communication)機能が内蔵された第１タイプの電子価格表示器３００と、前記近距離無線通信(NFC：Near Field Communication)機能が内蔵されていない第２タイプの電子価格表示器３００を、一つの共用化された回路基板を利用して製造することで、電子価格表示器３００の生産性を高めている。
【００９８】
また、実施例では、前記電子価格表示器３００のウェイクアップのために外部スイッチボタンを利用せず、別途の端末機を介して発生する信号によってなされるようにする。
【００９９】
このとき、電子価格表示器３００は、ＬＦ(Low Frequency)回路を利用して、前記外部端末機から伝送されるウェイクアップ信号を認識できるようにする。ここで、前記ウェイクアップ信号は、一定周波数を有する波形である。このとき、ＬＦ(Low Frequency)回路は、外部端末機から伝送される波形の周波数によって、前記ウェイクアップ信号だけでなく、多様な管理信号を認識することができる。
【０１００】
即ち、実施例では、前記波形の周波数変更によって、前記電子価格表示器３００がウェイクアップモード、動作維持モード及びリセットモード等の多様な管理モードへの変更がなされるようにすることができる。
【０１０１】
このとき、前記ＬＦ(Low Frequency)回路は、前記近距離無線通信(NFC：Near Field Communication)で使用する周波数帯域のアンテナを共用で使用して、前記端末機から伝送される特定周波数を有する波形の信号を受信する。
【０１０２】
これによって、実施例での電子価格表示器３００は、前記ＬＦ(Low Frequency)回路によって前記特定周波数を有する波形の信号を受信するための別途のアンテナを構成しなくても良いので、価格を削減することができる。
【０１０３】
以下では、前記電子価格表示器３００に対して、より具体的に説明することにする。
【０１０４】
図３は本発明の第１実施例に係る電子価格表示器の構成図であり、図４は本発明の第２実施例に係る電子価格表示器の構成図である。
【０１０５】
ここで、図３に示された第１実施例に係る電子価格表示器３００は、前述した近距離無線通信(NFC：Near Field Communication)機能が内蔵された第１タイプの電子価格表示器３００であり、図４に示された第２実施例に係る電子価格表示器３００は、前述した近距離無線通信(NFC：Near Field Communication)機能が内蔵されていない第２タイプの電子価格表示器３００を意味する。
【０１０６】
ここで、図３に示された電子価格表示器３００と、図４に示された電子価格表示器３００は、前記近距離無線通信(NFC：Near Field Communication)機能を提供するための第２通信モジュール(明確には、ＮＦＣチップ)の構成の有無によって区分される。
【０１０７】
即ち、図３に示された第１実施例に係る電子価格表示器３００は第２通信モジュールが構成されており、逆に第２実施例に係る電子価格表示器３００は、前記第２通信モジュールが構成されていない。
【０１０８】
即ち、前記第２通信モジュールが実装されているか否かによって、前記第１タイプの電子価格表示器３００と第２タイプの電子価格表示器３００が区分される。
【０１０９】
図３及び図４に示すように、第１及び２タイプの電子価格表示器３００は、バッテリー３１０、第１アンテナ３２０、第１通信モジュール３３０、表示部３４０、第２アンテナ３５０、ＬＦ回路部３６０を共通で含み、第１タイプの電子価格表示器にのみ第２通信モジュール３７０が追加構成される。
【０１１０】
従って、第１タイプの電子価格表示器３００は、ＬＦ回路部３６０が第２アンテナ３５０と直接連結されず、間に前記第２通信モジュール３７０が追加配置される。
【０１１１】
一方、第２タイプの電子価格表示器３００は、前記ＬＦ回路部３６０と第２アンテナ３５０との間に前記第２通信モジュール３７０が構成されず、よって前記ＬＦ回路部３６０は、前記第２アンテナ３５０と直接連結される。
【０１１２】
バッテリー３１０は、電子価格表示器３００の各構成要素に駆動電源を供給する。
【０１１３】
バッテリー３１０は、前記電子価格表示器３００の駆動モードに応じて、前記各構成要素のうち特定構成要素にのみ駆動電源を供給したり、全ての構成要素に駆動電源を供給することができる。
【０１１４】
第１アンテナ３２０は、ゲートウェイ２００と通信を行い、前記サーバー１００から伝送されるデータを受信する。即ち、第１アンテナ３２０は、ゲートウェイ２００から商品情報に対する情報を受信し、前記受信した情報を第１通信モジュール３３０に伝達する。
【０１１５】
また、第１アンテナ３２０は、前記第１通信モジュール３３０から伝達されるデータ受信による動作結果に対するメッセージを前記ゲートウェイ２００に伝送する。
【０１１６】
第１アンテナ３２０は、２.４GHz帯域のアンテナであることが好ましい。
【０１１７】
第１通信モジュール３３０は、前記ゲートウェイ２００と通信を行い、前記サーバー１００から伝送される情報を受信し、前記受信した情報に基づいて前記電子価格表示器３００を制御する。
【０１１８】
即ち、前記第１通信モジュール３３０は、前記ゲートウェイ２００を介して価格情報のような商品関連情報が受信されると、前記受信した商品関連情報を表示部３４０に伝達し、前記表示部３４０を介して前記商品関連情報が表示されるようにする。
【０１１９】
また、前記第１通信モジュール３３０は、前記電子価格表示器３００の全般的な動作を制御することができる。
【０１２０】
表示部３４０は、前記第１通信モジュール３３０を介して伝達される商品関連情報を表示する。このとき、表示部３４０は電子紙(E-paper)からなることができる。
【０１２１】
一方、表示部３４０に表示される商品関連情報は、ストアシンボル、プロモーションイメージ、バーコード、商品名、商品イメージ、原産地情報、商品価格、セール情報等の多様な情報から構成されることができる。
【０１２２】
第２アンテナ３５０は、外部の管理者端末機や、顧客端末機から伝送される信号を受信する。
【０１２３】
このとき、前記電子価格表示器３００が第１タイプである場合、前記第２アンテナ３５０は、前記電子価格表示器３００の管理のための信号だけでなく、多様なデータ(例えば、商品に対する動画データ、イベントデータ)を受信することができる。これは、前記第２アンテナ３５０の出力端に近距離無線通信(NFC：Near Field Communication)機能を提供する第２通信モジュール３７０が配置されるからである。よって、第２アンテナ３５０は、前記電子価格表示器３００の管理のための特定周波数の波形だけでなく、多様な付加情報データも受信することができる。
【０１２４】
このとき、前記波形は、近距離無線通信(NFC：Near Field Communication)プロトコルの信号である。
【０１２５】
一方、前記電子価格表示器３００が第２タイプである場合、前記電子価格表示器３００は、近距離無線通信(NFC：Near Field Communication)機能が内蔵されていない。即ち、前記電子価格表示器３００には、第２通信モジュール３７０が実装されておらず、よって前記第２アンテナ３５０の出力端には前記ＬＦ回路部３６０が直接連結される。
【０１２６】
従って、前記第２アンテナ３５０は、前記電子価格表示器３００の管理のための前記近距離無線通信(NFC：Near Field Communication)プロトコルの一定周波数を有する波形のみを受信することになる。
【０１２７】
このとき、前記第２アンテナ３５０は、第１タイプでは前記第２通信モジュール３７０に信号を伝達し、第２タイプでは前記ＬＦ回路部３６０に信号を伝達する。
【０１２８】
従って、前記第２アンテナ３５０は、近距離無線通信(NFC：Near Field Communication)の周波数帯域を有しながらＬＦ(Low Frequency)の周波数帯域を有しなければならない。
【０１２９】
従って、前記第２アンテナ３５０は、近距離無線通信(NFC：Near Field Communication)とＬＦ(Low Frequency)の同一周波数帯域である１３.５６MHz帯域のアンテナであることが好ましい。
【０１３０】
これによって、前記第２アンテナ３５０は、第１タイプでは前記管理のための特定周波数の波形だけでなく、多様な付加情報データを受信して第２通信モジュール３７０に出力することができ、第２タイプでは前記管理のための特定周波数の波形を受信して前記ＬＦ回路部３６０に出力する。
【０１３１】
ＬＦ回路部３６０は、前記第２アンテナ３５０を介して受信された波形を利用して、前記電子価格表示器３００の管理モードシナリオのためのインターラプトを発生する。
【０１３２】
このとき、前記ＬＦ回路部３６０は、前記タイプに応じて異なる回路構成を有する。即ち、前記受信された波形は、予め設定された通信時間の間特定信号間隔を有する。即ち、前記第２アンテナ３５０を介して受信される波形は、直流形態ではない周波数形態であり、特定信号間隔の周期的な空の空間(empty)が存在する。
【０１３３】
従って、上記のような波形を利用して、前記第１通信モジュール３３０のウェイクアップのようなインターラプトを発生するためには、前記波形を平滑化する回路が必要である。
【０１３４】
このとき、上記のような第１タイプの場合には第２通信モジュール３７０が実装されており、前記第２通信モジュール３７０は、インターラプトピンを介して前記受信した波形を平滑化して安定した直流ハイ値を出力することができる。
【０１３５】
これによって、前記第１タイプの電子価格表示器３００に備えられるＬＦ回路部３６０は、前記波形を平滑化する回路は不必要であり、それによって前記平滑化された信号を利用してアクティブロー波形のインターラプトを出力するインバータ回路のみで構成される。
【０１３６】
しかし、前記第２タイプの電子価格表示器３００は、前記第２通信モジュール３７０が実装されていないので、前記受信された波形を平滑化するための平滑化回路が必要である。
【０１３７】
よって、前記第２タイプの電子価格表示器３００に備えられるＬＦ回路部３６０は、前記波形を平滑化する平滑回路と、前記平滑化された信号を利用してアクティブロー形態のインターラプトを出力するインバータ回路を含む。
【０１３８】
第２通信モジュール３７０は、前記第１タイプの電子価格表示器３００にのみ実装され、それによって前記第２アンテナ３５０を介して受信された信号を前記ＬＦ回路部３６０または第１通信モジュール３３０に伝達する。
【０１３９】
即ち、第２通信モジュール３７０は、前記第２アンテナ３５０を介して受信された信号が前記管理のための周波数形態の波形である場合、これを平滑化し、それによって前記平滑化した信号をインターラプトピンを介して前記ＬＦ回路部３６０に出力する。
【０１４０】
また、第２通信モジュール３７０は、前記第２アンテナ３５０を介して受信された信号が多様な付加情報を有するデータである場合、これを前記第１通信モジュール３３０に伝達する。
【０１４１】
これによって、前記第２通信モジュール３７０は、インターラプトピンを介して前記ＬＦ回路部３６０と連結される。
【０１４２】
また、第２通信モジュール３７０は、データ入力(MOSI：Master Input slave Out)ピン、データ出力(MOSI：Master Out Slave Input)ピン、スレーブ選択(SS：Slave Selction)ピン、クロック連結(SCLK)ピンを介して前記第１通信モジュール３３０と連結される。
【０１４３】
上記のように、本発明は、第１タイプの電子価格表示器３００と第２タイプの電子価格表示器３００を一つの共用化された回路基板を使用することで、製造のための全体工程の標準化による生産性を向上させることができるようにする。
【０１４４】
また、本発明は、近距離無線通信(NFC：Near Field Communication)とＬＦ(Low Frequency)の同一周波数帯域を有する一つのアンテナをＮＦＣアンテナとLFアンテナとして使用することで、別途の追加アンテナを配置しなくても良いので、価格削減及びサイズの小型化を達成することができる。
【０１４５】
図５は、本発明の実施例に係る共用化された回路基板を示す図である。
【０１４６】
図５に示すように、回路基板４００は、ベース基板４１０、第１アンテナ実装領域４２０、第１通信モジュール実装領域４３０、ディスプレイコネクタ実装領域４４０、第２アンテナ実装領域４５０、ＬＦ回路部実装領域４６０、第２通信モジュール実装領域４７０及びタイプ選択素子実装領域４８０を含む。
【０１４７】
ベース基板４１０は、信号連結線を構成する単一回路パターンが形成される回路基板４００の支持基板であるが、複数の積層構造を有する回路基板のうち少なくとも一つの回路パターンが形成されている絶縁層領域を意味することもできる。
【０１４８】
前記ベース基板４１０が複数の積層構造のうちの一つの絶縁層を意味する場合、前記ベース基板４１０の上部または下部に複数の回路パターン(図示しない)が連続的に形成される。
【０１４９】
前記ベース基板４１０は、熱硬化性または熱可塑性高分子基板、セラミック基板、有機・無機複合素材基板、またはガラス繊維含浸基板からなることができ、高分子樹脂を含む場合、FR-４、ＢＴ(Bismaleimide Triazine)、ＡＢＦ(Ajinomoto Build up Film)等のエポキシ系絶縁樹脂や、ポリイミド系樹脂を含むことができるが、特にこれに限定されるものではない。
【０１５０】
一方、前記ベース基板４１０の上に形成される回路パターン、即ち前記ベース基板の上に実装される素子を相互連結する信号線は、通常の印刷回路基板の製造工程であるアディティブ法(Additive process)、サブトラクティブ法(Subtractive Process)、ＭＳＡＰ(Modified Semi Additive Process)及びＳＡＰ(Semi Additive Process)等から可能であり、ここでは詳細な説明は省略する。
【０１５１】
前記ベース基板４１０の外枠領域を取り囲んで第２アンテナ実装領域４５０が形成され、前記第２アンテナ実装領域４５０には第２アンテナ３５０が実装される。
【０１５２】
そして、前記第２アンテナ実装領域４５０の内部領域には、前述した第１アンテナ実装領域４２０、第１通信モジュール実装領域４３０、ディスプレイコネクタ実装領域４４０、ＬＦ回路部実装領域４６０、第２通信モジュール実装領域４７０及びタイプ選択素子実装領域４８０が配置される。
【０１５３】
即ち、前記第１アンテナ３２０と第２アンテナ３５０は相互干渉が発生する可能性があるので、これを解決するための配置が考慮されなければならない。
【０１５４】
従って、実施例では、ベース基板の空間を活用するために、前記ベース基板４１０の上面の外枠領域を取り囲んで前記第２アンテナ３５０を配置するための第２アンテナ実装領域４５０を形成し、前記アンテナ実装領域４５０の内部領域のうち前記第２アンテナ３５０と一定間隔離隔した位置に第１アンテナ実装領域４２０を形成する。
【０１５５】
第１アンテナ実装領域４２０には第１アンテナ３２０が実装される。
【０１５６】
そして、前記ベース基板４１０の上面のうち前記第１アンテナ実装領域４２０と隣接した位置には、前記第１アンテナ３２０と連結される第１通信モジュール３３０が実装される第１通信モジュール実装領域４３０が形成される。
【０１５７】
前記第１通信モジュール実装領域４３０には前記第１通信モジュール３３０が実装される。
【０１５８】
また、前記ベース基板４１０の上面のうち前記第１通信モジュール実装領域４３０と隣接した位置には、前記第１通信モジュール実装領域４３０に実装された第１通信モジュール３３０と連結されるディスプレイコネクタ実装領域４４０が形成される。
【０１５９】
前記ディスプレイコネクタ実装領域４４０には、ディスプレイコネクタ(図示しない)が実装され、前記ディスプレイコネクタには表示部３４０が連結される。
【０１６０】
従って、前記表示部３４０は、前記ディスプレイコネクタを介して前記第１通信モジュール３３０と連結され、前記第１通信モジュール３３０を介して商品関連情報が提供される。
【０１６１】
前記ベース基板４１０の上面には、前記第２アンテナ実装領域４５０に実装された第２アンテナ３５０と連結される第２通信モジュール実装領域４７０が形成される。
【０１６２】
前記第２通信モジュール実装領域４７０には第２通信モジュール３７０が選択的に実装される。
【０１６３】
即ち、第１タイプの電子価格表示器３００を製造する場合、前記第２通信モジュール実装領域４７０には第２通信モジュール３７０が実装される。
【０１６４】
しかし、第２タイプの電子価格表示器３００を製造する場合、前記第２通信モジュール実装領域４７０には第２通信モジュール３７０が実装されることなく、前記第２通信モジュール実装領域４７０は空の空間として残される。
【０１６５】
前記ベース基板４１０の上面のうち前記第２通信モジュール実装領域４７０の周囲には、ＬＦ回路部実装領域４６０が配置される。
【０１６６】
前記ＬＦ回路部実装領域４６０にはＬＦ回路部３６０が実装される。
【０１６７】
このとき、前記ＬＦ回路部実装領域４６０は、前記第２通信モジュール実装領域４７０と連結され、またタイプ選択素子実装領域４８０に実装される素子を介して第２アンテナ実装領域４５０とも連結される。
【０１６８】
一方、ＬＦ回路部実装領域４６０は、平滑回路実装領域４６１とインバータ回路実装領域４６２を含む。
【０１６９】
そして、平滑回路実装領域４６１には製造タイプに応じて選択的に平滑回路が実装され、インバータ回路実装領域４６２にはインバータ回路が実装される。
【０１７０】
即ち、前記インバータ回路実装領域４６２には製造タイプに関係なくインバータ回路が実装される。
【０１７１】
そして、平滑回路実装領域４６１には製造タイプに応じて選択的に前記平滑回路が実装される。即ち、第１タイプの電子価格表示器３００を製造する場合、前記平滑回路実装領域４６１には平滑回路が実装されることなく、空の空間として残される。
【０１７２】
また、第２タイプの電子価格表示器３００を製造する場合、前記平滑回路実装領域４６１には平滑回路が実装される。
【０１７３】
一方、第２タイプの電子価格表示器３００を製造する場合、前記第２通信モジュール実装領域４７０に第２通信モジュール３７０が実装されない。このとき、第２アンテナ実装領域４５０と前記ＬＦ回路部実装領域４６０が直接連結され、前記連結されたラインを含む経路を介して信号が伝達される。
【０１７４】
よって、一端が前記第２アンテナ実装領域４５０と連結され、他端がＬＦ回路部実装領域４６０と連結されるタイプ選択素子実装領域４８０が形成される。
【０１７５】
前記タイプ選択素子実装領域４８０には、前記第２アンテナ３５０を介して受信された信号の経路を決定する素子が実装される。前記素子は０Ω抵抗である。
【０１７６】
従って、第１タイプの電子価格表示器３００を製造する場合、前記第２アンテナ３５０を介して受信された信号が前記第２通信モジュール実装領域４７０に実装された第２通信モジュール３７０を含む経路を介して提供されるように、前記タイプ選択素子実装領域４８０には前記素子が実装されない。
【０１７７】
前記素子が実装されない場合、前記素子を介して連結されるラインは切断され、これによって前記第２通信モジュール実装領域４７０に実装される第２通信モジュール３７０を含む経路を介して伝達されることになる。
【０１７８】
また、第２タイプの電子価格表示器３００を製造する場合、前記第２アンテナ３５０を介して受信された信号が前記第２通信モジュール実装領域４７０を経ることなく、前記ＬＦ回路部実装領域４６０に直接伝達されるように前記タイプ選択素子実装領域４８０には前記素子が実装される。
【０１７９】
上記のように、実施例では、第１タイプの電子価格表示器３００と第２タイプの電子価格表示器３００を製造するための回路基板を共用化し、それによって選択的に特定構成要素が実装される領域は空の空間として残すようにする。
【０１８０】
以下では、本発明の実施例に係るＬＦ回路部３６０に対して説明することにする。
【０１８１】
図６は本発明の第１実施例に係るＬＦ回路部３６０の回路図であり、図７は本発明の第２実施例に係るＬＦ回路部３６０の回路図である。
【０１８２】
即ち、図６は第１タイプの電子価格表示器３００に適用されるＬＦ回路部３６０であり、図７は第２タイプの電子価格表示器３００に適用されるＬＦ回路部３６０である。
【０１８３】
前記第１タイプのＬＦ回路部３６０と第２タイプのＬＦ回路部３６０の違いは、平滑回路３６１の有無によって決定される。
【０１８４】
即ち、前記第１タイプのＬＦ回路部３６０は平滑回路３６１を含まず、第２タイプのＬＦ回路部３６０は平滑回路３６１を含む。
【０１８５】
従って、以下では図７に示されたＬＦ回路部３６０に対してのみ説明することにする。
【０１８６】
ＬＦ回路部３６０は、第２アンテナ３５０を介して受信された周波数形態の波形を平滑化する平滑回路３６１と、前記平滑回路３６１を介して平滑化された信号を利用してアクティブロー波形のインターラプトを発生させるインバータ回路３６２を含む。
【０１８７】
このとき、第１タイプのＬＦ回路部３６０はインバータ回路３６２のみを含み、それによって前記平滑回路３６１でしていた機能は、第２通信モジュール３７０によって行われる。
【０１８８】
一方、平滑回路３６１の前端には第１ダイオードＤ１が配置される。
【０１８９】
平滑回路３６１は、第１インダクターＬ１、第１キャパシタＣ１及び第１抵抗Ｒ１を含む。
【０１９０】
第１インダクターＬ１は、一端が第１ダイオードＤ１の出力端に連結される。
【０１９１】
第１キャパシタＣ１は、一端が前記第１ダイオードＤ１の出力端と前記第１インダクターＬ１の一端に連結される。
【０１９２】
第１抵抗Ｒ１は、一端が第１インダクターＬ１の他端に連結され、他端が第１キャパシタＣ１の他端に連結される。
【０１９３】
上記のように構成された平滑回路３６１は、第２アンテナ３５０を介して入力された波形の場合、直流形態でない周波数形態を有するので、これを直流のインターラプト波形にする。
【０１９４】
このとき、平滑回路３６１のＬＣ時定数の調節によって、前記インターラプト波形を作ることができる。
【０１９５】
前記入力される波形は、信号が存在する複数の信号区間及び前記複数の信号区間の間に配置される空の区間が存在する。
【０１９６】
これによって、第１実施例では、前記複数の信号区間と空の区間を全てハイと認識できる最小電圧である０.７５V以上となるように、前記ＬＣ時定数を調節することができる。
【０１９７】
反面、第２実施例では、前記複数の信号区間をハイと認識し、前記空の区間はローと認識できるように、前記ＬＣ時定数を調節することができる。
【０１９８】
前記平滑回路３６１を介して平滑化された波形は、インバータ回路３６２に入力される。より明確には、前記インバータ回路３６２は、第１スイッチング素子Ｑ１及び第２抵抗Ｒ２を含むが、前記平滑化された波形は前記第１スイッチング素子Ｑ１のゲートに入力され、前記第１スイッチング素子Ｑ１のターン・オンがなされるようにする。
【０１９９】
第１スイッチング素子Ｑ１は、ゲートが平滑回路３６１の出力端に連結され、ソースが接地され、ドレーンが第２抵抗の一端に連結される。
【０２００】
第２抵抗Ｒ２は、一端が前記第１スイッチング素子Ｑ１のドレーンに連結され、他端がバッテリー電源の入力端に連結される。
【０２０１】
また、前記第１スイッチング素子Ｑ１のドレーンと、第２抵抗Ｒ２の一端の接点は、第１通信モジュール３３０のインターラプト入力ポートに連結される。
【０２０２】
上記のように構成されたインバータ回路３６２は、前記平滑回路３６１を介して出力されるハイインターラプト信号をアクティブロー波形のインターラプトにする。
【０２０３】
図８は本発明の実施例に係る第１タイプの電子価格表示器３００の回路図であり、図９は本発明の実施例に係る第２タイプの電子価格表示器３００の回路図である。
【０２０４】
図８に示すように、第１タイプの電子価格表示器３００は、第２アンテナ３５０、アンテナチューニング部３８０、第２通信モジュール３７０、ＬＦ回路部３６０及び漏洩電流遮断部３９０を含む。
【０２０５】
第２アンテナ３５０は、回路基板４００の第２アンテナ実装領域４５０に実装される。
【０２０６】
第２通信モジュール３７０は、回路基板４００の第２通信モジュール実装領域４７０に実装される。
【０２０７】
ＬＦ回路部３６０は、ＬＦ回路部実装領域４６０に実装される。具他的には、前記第２通信モジュール実装領域４７０に第２通信モジュール３７０が実装されるので、前記ＬＦ回路部３６０はインバータ回路のみを含む。従って、前記ＬＦ回路部３６０は、インバータ回路実装領域に実装されるインバータ回路のみを含む。
【０２０８】
アンテナチューニング部３８０は、少なくとも一つのキャパシタ及び抵抗を含んで構成され、それによって前記第２アンテナ３５０を介した信号受信が行われるようにする。
【０２０９】
一方、前記電子価格表示器３００は第１タイプであるので、前記第２通信モジュール３８０が基板に実装されている。これによって、タイプ選択素子実装領域４８０には、タイプ選択素子(即ち、０Ω抵抗)が実装されることなく空の空間として残される。
【０２１０】
一方、前記第２通信モジュール３７０が含まれる電子価格表示器３００の場合、超低電力で前記電子価格表示器３００の動作が行わなければならないので、前記第２通信モジュール３７０の動作が完了すると、バッテリーの電源が完全に遮断されなければならない。
【０２１１】
従って、一端がバッテリーの電源に連結され、他端が前記第２通信モジュール３７０に連結され、前記第２通信モジュール３７０の動作が完了すると、前記第２通信モジュール３７０に供給される電源を遮断する漏洩電流遮断部３９０が配置される。
【０２１２】
前記漏洩電流遮断部３９０は、第１スイッチング素子Ｑ１、第２スイッチング素子Ｑ２、第１抵抗Ｒ１、第２抵抗Ｒ２及び第２キャパシタＣ１を含む。
【０２１３】
第２スイッチング素子Ｑ２は、ゲートを介して前記第２通信モジュール３７０の動作に関連した信号を受信する。
【０２１４】
第１スイッチング素子Ｑ２は、前記第２スイッチング素子Ｑ２のスイッチング状態によって、バッテリーから供給される電源を遮断し、前記第２通信モジュール３７０に伝達されないようにする。
【０２１５】
また、第１スイッチング素子Ｑ２は、前記第２スイッチング素子Ｑ２のスイッチング状態によって、バッテリーから供給される電源を前記第２通信モジュール３７０に伝達する。
【０２１６】
図９に示すように、第２タイプの電子価格表示器３００は、第２アンテナ３５０、アンテナチューニング部３８０、ＬＦ回路部３６０及びタイプ選択素子３９５を含む。
【０２１７】
第２アンテナ３５０は、回路基板４００の第２アンテナ実装領域４５０に実装される。
【０２１８】
このとき、前記電子価格表示器３００は第２タイプであるので、第２通信モジュール３７０は、回路基板４００の第２通信モジュール実装領域４７０に実装されない。従って、前記第２通信モジュール実装領域４７０は空の空間として残される。
【０２１９】
ＬＦ回路部３６０は、ＬＦ回路部実装領域４６０に実装される。具他的には、前記第２通信モジュール実装領域４７０に第２通信モジュール３７０が実装されていないので、前記ＬＦ回路部３６０は平滑回路３６１及びインバータ回路３６２を含む。従って、前記ＬＦ回路部３６０は、平滑回路実装領域及びインバータ回路実装領域にそれぞれ平滑回路とインバータ回路が実装される。
【０２２０】
アンテナチューニング部３８０は、少なくとも一つのキャパシタ及び抵抗を含んで構成され、それによって前記第２アンテナ３５０を介した信号受信が行われるようにする。
【０２２１】
一方、前記第２アンテナ３５０とＬＦ回路部３６０との間には、タイプ選択素子３９５が配置される。
【０２２２】
前記タイプ選択素子３９５は、第２アンテナ３５０を介して受信された周波数形態の波形が、前記第２通信モジュール実装領域４７０を含まない経路、即ち前記ＬＦ回路部３６０に直接入力されるようにする。
【０２２３】
以下では、管理モードへの進入のための信号の形態及びこれの認識方法に対して説明することにする。
【０２２４】
図１０は本発明の実施例で、前記管理モードに進入するために提供されるユーザーインターフェースを示す図である。
【０２２５】
図１０に示すように、ユーザーインターフェースは、多数の管理モードのうちいずれか一つの管理モードを選択するための選択画面を含む。このようなユーザーインターフェースは、管理者の端末機を介して提供される。
【０２２６】
前記選択画面には、電子価格表示器３００のウェイクアップ(wake up)のための第１選択メニュー、動作維持(keep alive)のための第２選択メニュー、リセット(reset)のための第３選択メニュー及びディープスリープ状態(deep sleep)への進入のための第４選択メニューを含む。
【０２２７】
管理者は、前記端末機を介して提供される選択画面のうち自身が所望するいずれか一つの選択メニューを選択することで、前記電子価格表示器３００の動作を制御することができる。
【０２２８】
図１１〜図１３は本発明の実施例で、電子価格表示器３００に入力される波形を説明するための図である。
【０２２９】
図１１は、本発明の実施例に係る電子価格表示器に初期入力される波形を示している。
【０２３０】
図１１に示すように、前記選択画面上でいずれか一つの選択メニューが選択されると、前記選択されたメニューに対応する波形の信号が電子価格表示器３００に伝送される。
【０２３１】
そして、電子価格表示器３００は、前記伝送される波形の信号を受信し、前記受信した波形を分析して、それに対応する動作モードに進入する。
【０２３２】
ここで、前記波形は、信号が存在する複数の区間と、前記複数の区間の間に存在する空の区間が存在する。即ち、前記波形は、予め設定された通信時間の間複数の信号が一定信号間隔で入力される周波数形態を有する。
【０２３３】
図１１に示されたように、前記波形は５０msの通信時間を有し、それにより２０msの信号が１０msの信号間隔で入力される形態を有することができる。
【０２３４】
このとき、前記波形が有する通信時間は、前記進入する管理モードに応じて可変する。例えば、ウェイクアップモードへの進入のための波形は５０msの通信時間を有することができ、リセットモードへの進入のための波形は２００msの通信時間を有することができ、ディープスリープモードへの進入のための波形は４００msの通信時間を有することができる。
【０２３５】
上記のように入力された波形は、電子価格表示器３００に備えられた平滑回路によって平滑化される。
【０２３６】
このとき、前記波形は第２通信モジュール３７０によって平滑化され、これと違って、ＬＦ回路部に備えられた平滑回路によって平滑化されてもよい。即ち、前記電子価格表示器３００のタイプに応じて、前記波形は前記第２通信モジュール３７０またはＬＦ回路部３７０によって平滑化される。
【０２３７】
即ち、第２アンテナ３５０を介して入力された波形は、直流形態ではない周波数形態を有し、１０ms程度の空の区間が存在する。
【０２３８】
これによって、前記波形を持って第１通信モジュール３３０にインターラプトを発生するためには、前記波形を直流形態に変換しなければならない。
【０２３９】
従って、前記平滑回路(第２通信モジュールまたはＬＦ回路部)は、前記波形を構成する信号が存在する第１区間と空の第２区間を平滑化し、前記第１区間と第２区間を全てハイと認識できるようにする。
【０２４０】
このとき、前記ハイと認識できる最小電圧が０.７５Vであるので、前記平滑回路のＬＣ時定数をこれに合うように調節して、前記第１区間と第２区間の信号を全てハイと認識できるようにする。
【０２４１】
前記平滑回路によって平滑化された信号は、ＬＦ回路部３６０のインバータ回路３６２に入力される。
【０２４２】
インバータ回路３６２は、前記平滑回路によって平滑化された信号、即ちハイインターラプト信号を利用してアクティブロー波形のインターラプトを生成しこれを出力する。
【０２４３】
即ち、図１３に示されたように、前記波形は、２０msの複数の第１区間と、１０msの第２区間とを含み、このとき前記平滑化によって前記第１区間と第２区間は全てハイと認識されることになる。
【０２４４】
従って、インバータ回路３６２は、５０msの時間を有するアクティブロー形態のインターラプトを発生することになり、これは第１通信モジュール３３０に入力される。
【０２４５】
第１通信モジュール３３０は、前記入力されるインターラプトの入力時間を確認し、前記確認した入力時間を基準にそれに対応する管理モードに進入する。
【０２４６】
図１４〜１６は、本発明の第１実施例に係るインターラプトを説明するための図である。
【０２４７】
まず、図１４に示すように、第１波形は５０msの長さを有する。前記第１波形は二つの２０msの第１区間と、１０msの第２区間を含む。
【０２４８】
このとき、前記第１波形は平滑回路を経て平滑化され、インバータ回路は、前記平滑化された第１波形を利用してアクティブロー形態のインターラプトを発生する。
【０２４９】
ここで、前記第１波形は、第１区間と第２区間が全てハイと認識されるように平滑化され、よって前記インターラプトは５０msの長さを有するハイ信号である。
【０２５０】
これによって、第１通信モジュール３３０には５０msのハイ信号が入力され、これによって前記５０msのハイ信号に対応する管理モードに進入する。
【０２５１】
図１５に示すように、第２波形は２００msの長さを有する。前記第２波形は多数の２０msの第１区間と、多数の１０msの第２区間を含む。
【０２５２】
このとき、前記第２波形は平滑回路を経て平滑化され、インバータ回路は、前記平滑化された第２波形を利用してアクティブロー形態のインターラプトを発生する。
【０２５３】
ここで、前記第２波形は、第１区間と第２区間が全てハイと認識されるように平滑化され、よって前記インターラプトは２００msの長さを有するハイ信号である。
【０２５４】
これによって、第１通信モジュール３３０には２００msのハイ信号が入力され、これによって前記２００msのハイ信号に対応する管理モードに進入する。
【０２５５】
図１６に示すように、第３波形は４００msの長さを有する。前記第３波形は多数の２０msの第１区間と、多数の１０msの第２区間を含む。
【０２５６】
このとき、前記第３波形は平滑回路を経て平滑化され、インバータ回路は、前記平滑化された第３波形を利用してアクティブロー形態のインターラプトを発生する。
【０２５７】
ここで、前記第３波形は、第１区間と第２区間が全てハイと認識されるように平滑化され、よって前記インターラプトは４００msの長さを有するハイ信号である。
【０２５８】
これによって、第１通信モジュール３３０には４００msのハイ信号が入力され、これによって前記４００msのハイ信号に対応する管理モードに進入する。
【０２５９】
図１７及び１８は、本発明の第２実施例に係るインターラプトを説明するための図である。
【０２６０】
まず、図１７に示すように、第１波形は５０msの長さを有する。前記第１波形は二つの２０msの第１区間と、１０msの第２区間を含む。
【０２６１】
このとき、前記第１波形は平滑回路を経て平滑化され、インバータ回路は、前記平滑化された第１波形を利用してアクティブロー形態のインターラプトを発生する。
【０２６２】
ここで、平滑回路は、前記第１区間はハイと認識されるようにし、第２区間はローと認識されるように、前記第１波形を平滑化することができる。これは、前記平滑回路を構成する回路のＬＣ時定数を調節することで達成することができる。
【０２６３】
これによって、前記第１波形は第１区間がハイと認識され、第２区間がローと認識されるように平滑化され、これによって前記インターラプトはハイ区間とロー区間が存在する。
【０２６４】
これによって、第１通信モジュール３３０にはハイ区間とロー区間が混合した信号が入力される。第１通信モジュール３３０は、前記信号のうちのハイ区間の個数を確認し、前記確認したハイ区間の個数によってそれに対応する管理モードに進入する。
【０２６５】
例えば、前記第１波形は二つのハイ区間が存在し、二つのハイ区間はウェイクアップモードへの進入のための信号である。
【０２６６】
これによって、第１通信モジュール３３０は、前記インターラプトによって前記ハイ区間の数を認識し、前記ハイ区間の数によってウェイクアップモードに進入することができる。
【０２６７】
また、図１８に示すように、２００msの長さを有する波形は８個のハイ区間が存在する。従って、第１通信モジュール３３０は、前記８個のハイ区間に対応する管理モードに進入することができる。
【０２６８】
実施例によれば、問題の原因となる外部スイッチ回路を除去して、電子価格表示器の全体的な価格を削減でき、かつ製品の外観性を向上させることができる。
【０２６９】
また、実施例によれば、ＬＦ(Low Frequency)回路をＮＦＣ(Near Field Communication)おいて主に使用する１３.５６MHz帯域の周波数を利用することで、前記ＮＦＣのループアンテナを共通で使用して、回路の共用化及び小型化を達成することができる。
【０２７０】
また、実施例に係る近距離通信機能が備えられるタイプの基板と、近距離通信機能が備えられないタイプの基板を共用化することで、製品の生産性を向上させることができる。
【０２７１】
以上、本発明の好ましい実施例に対して図示して説明したが、本発明は上述した特定の実施例に限定されず、請求の範囲で請求する本発明の要旨を逸脱することなく、当該発明が属する技術分野で通常の知識を有した者によって多様な変形実施が可能であることは勿論であり、そのような変形実施は、本発明の技術的思想や展望から個別的に理解されてはならない。
【図１】
2018504250.tif 000003
【図２】
2018504250.tif 000004
【図３】
2018504250.tif 000005
【図４】
2018504250.tif 000006
【図５】
2018504250.tif 000007
【図６】
2018504250.tif 000008
【図７】
2018504250.tif 000009
【図８】
2018504250.tif 000010
【図９】
2018504250.tif 000011
【図１０】
2018504250.tif 000012
【図１１】
2018504250.tif 000013
【図１２】
2018504250.tif 000014
【図１３】
2018504250.tif 000015
【図１４】
2018504250.tif 000016
【図１５】
2018504250.tif 000017
【図１６】
2018504250.tif 000018
【図１７】
2018504250.tif 000019
【図１８】
2018504250.tif 000020
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
第１周波数帯域の第１信号を受信する第１アンテナと、
前記第１アンテナと連結され、前記第１信号を受信する第１通信モジュールと、
前記第１通信モジュールを介して処理された前記第１信号に含まれた価格情報を表示する表示部と、
前記第１周波数帯域とは異なる第２周波数帯域の第２信号を受信する第２アンテナと、
前記第２アンテナを介して前記第２信号を受信し、前記受信された第２信号を利用して少なくとも二つのレベルを有するパルス波形のインターラプト信号を出力するインバータと、
を含み、
前記第１通信モジュールは、前記インバータから出力されるインターラプト信号を受信し、前記受信されたインターラプト信号に応じて動作モードを変更する、電子価格表示器。
【請求項２】
前記第２信号は、少なくとも一つのダイオードを経て前記インバータに受信される、請求項１に記載の電子価格表示器。
【請求項３】
前記第２周波数帯域は、ＮＦＣ(Near Field Communication)周波数帯域である、請求項１または２に記載の電子価格表示器。
【請求項４】
前記インターラプト信号は、第１レベルまたは第２レベルに対応するパルス波形信号であり、
前記第１レベルに対応する電圧レベルは、前記第２レベルに対応する電圧より小さく、
前記インバータの入力端は、一端がグラウンドと連結された抵抗の他端と連結されて前記第２信号を受信し、
前記インバータの出力端は、前記第２信号が受信されると、第１レベルに対応するインターラプト信号を出力し、前記第２信号が受信されないと、第２レベルに対応するインターラプト信号を出力する、請求項１〜３のいずれかに記載の電子価格表示器。
【請求項５】
前記第２信号は、ＮＦＣ周波数帯域の波形の有効信号が含まれた第１区間と、空の第２区間とを含み、
前記インバータは、前記第１区間及び前記第２区間に基づいてアクティブロー波形の信号を出力する、請求項１〜４のいずれかに記載の電子価格表示器。
【請求項６】
前記第２信号は、ＮＦＣ周波数帯域の波形の有効信号が含まれた第１区間と、空の第２区間とを含み、
前記インバータは、前記第１区間がハイレバルを有し、前記第２区間がローレベルを有する前記インターラプト信号を出力する、請求項１〜４のいずれかに記載の電子価格表示器。
【請求項７】
前記第１通信モジュールは、前記インターラプト信号を受信し、前記受信されたインターラプト信号内で前記ハイレバルを有する信号の個数をカウントし、前記カウントしたハイレバル信号の個数に応じて前記変更すべき動作モードを決定する、請求項６に記載の電子価格表示器。
【請求項８】
前記動作モードは、ウェイクアップモード、リセットモード、動作維持モード及びディープスリープモードのうち少なくとも二つを含み、
前記第２信号は、前記動作モードによって前記有効信号の長さ及び個数が異なる、請求項１〜７のいずれかに記載の電子価格表示器。
【請求項９】
前記第２アンテナの一端及び他端に連結され、少なくとも一つのキャパシタを含むアンテナチューニング部と、
前記アンテナチューニング部を介して前記第２アンテナの一端に連結される第１入力端及び前記アンテナチューニング部を介して前記第２アンテナの他端に連結される第２入力端を含む第２通信モジュールをさらに含み、
前記少なくとも一つのダイオードは、前記第２入力端に連結されて前記第２信号を前記インバータに伝達する、請求項２に記載の電子価格表示器。
【請求項１０】
前記第２信号を平滑化する平滑部をさらに含む、請求項１〜９のいずれかに記載の電子価格表示器。
【請求項１１】
第１周波数帯域の第１波形信号を受信する第１アンテナと、第２周波数帯域の第２波形信号を受信する第２アンテナと、第２アンテナに連結されたインバータとを含む、電子価格表示器の動作モードを転換する方法において、
前記第２周波数帯域の第２波形信号を受信するステップと、
前記インバータが前記受信された第２波形信号を利用して、少なくとも二つのレベルを有するパルス波形のインターラプト信号を出力するステップと、
前記出力されるインターラプト信号の長さ又は／及び前記インターラプト信号の個数に基づいて、前記電子価格表示器の動作モードを決定するステップと、
前記決定した動作モードに転換するステップと、
を含み、
前記転換ステップは、前記第２周波数帯域とは異なる前記第１周波数帯域の第１波形信号を受信及び処理する通信モジュールをウェイクアップさせるステップを含む、電子価格表示器の動作モードの転換方法。
【請求項１２】
前記インターラプト信号は、第１レベルまたは第２レベルに対応するパルス波形信号であり、
前記第１レベルに対応する電圧レベルは、前記第２レベルに対応する電圧より小さく、
前記インバータは、
グラウンド電圧または前記第２波形信号が印加され、
前記第２波形信号が印加されると、第１レベルに対応するインターラプト信号を出力し、
前記第２波形信号が印加されないと、第２レベルに対応するインターラプト信号を出力する、請求項１１に記載の電子価格表示器の動作モードの転換方法。
【請求項１３】
前記第２波形信号は、ＮＦＣ周波数帯域の波形の有効信号が含まれた第１区間と、空の第２区間とを含み、
前記インバータは、前記第１及び２区間に基づいてアクティブロー波形の信号を出力する、請求項１１または１２に記載の電子価格表示器の動作モードの転換方法。
【請求項１４】
前記第２波形信号は、ＮＦＣ周波数帯域の波形の有効信号が含まれた第１区間と、空の第２区間とを含み、
前記インバータは、前記第１区間がハイレバルを有し、前記第２区間がローレベルを有する前記インターラプト信号を出力し、
前記動作モードを決定するステップは、前記有効信号の長さ及び前記有効信号の個数に基づいて、前記変更すべき動作モードを決定するステップを含み、
前記動作モードによって、前記第２波形信号が有する前記有効信号の長さ及び個数が異なる、請求項１１〜１３のいずれかに記載の電子価格表示器の動作モードの転換方法。
【請求項１５】
前記動作モードは、ウェイクアップモード及びディープスリープモードを含む、請求項１４に記載の電子価格表示器の動作モードの転換方法。
【請求項１６】
前記受信された第２波形信号を平滑化するステップをさらに含む、請求項１１〜１５のいずれかに記載の電子価格表示器の動作モードの転換方法。
【国際調査報告】
2018504250.tif 000021
2018504250.tif 000022
2018504250.tif 000023
2018504250.tif 000024